(57)【特許請求の範囲】
【請求項１】
音響表面波でもって動作するモジュールにおいて、
圧電性の基板を包含し、該基板上には、
−信号供給端子（Ｐ１）を有する非対称的に構成されている第１の電気的なポートと、第２の電気的なポートとを備えた信号線路が配置されており、
−前記第１のポートと前記第２のポートとの間に直列に接続されている、第１の部分フィルタおよび第２の部分フィルタが配置されており、
−前記第１の部分フィルタは第１の直列トランスデューサ（Ｗ２１）および第２の直列トランスデューサ（Ｗ２２）を有し、直列トランスデューサ（Ｗ２１，Ｗ２２）は音響的なトラック（Ｓ２）に配置されており、
−前記第１の直列トランスデューサ（Ｗ２１）および前記第２の直列トランスデューサ（Ｗ２２）は前記信号線路に電気的に直列に接続されており、したがって前記信号線路内に配置されており、
−前記第１の直列トランスデューサ（Ｗ２１）および前記第２の直列トランスデューサ（Ｗ２２）は相互に音響的に結合されており、
−前記第２の部分フィルタはＤＭＳトラック（Ｓ３）を包含し、該ＤＭＳトラック（Ｓ３）は第１の結合トランスデューサ（ＡＷ３１）と、前記信号線路における終端トランスデューサ（ＭＷ３）とを有することを特徴とする、音響表面波でもって動作するモジュール。
【請求項２】
前記ＤＭＳトラックは第２の結合トランスデューサ（ＡＷ３２）を有する、請求項１記載のモジュール。
【請求項３】
前記終端トランスデューサ（ＭＷ３）は前記結合トランスデューサ（ＡＷ３１，ＡＷ３２）の間に配置されている、請求項２記載のモジュール。
【請求項４】
各トラックは両側が反射器によって挟まれている、請求項１から３までのいずれか１項記載のモジュール。
【請求項５】
前記第１の部分フィルタの前記音響的なトラック（Ｓ２）には、前記信号線路の直列分岐に配置されており、且つ前記ＤＭＳトラックの前記結合トランスデューサ（ＡＷ３１，ＡＷ３２）と電気的に直列に接続されている別の直列トランスデューサが設けられている、請求項１から４までのいずれか１項記載のモジュール。
【請求項６】
前記ＤＭＳトラックには別の結合トランスデューサおよび／または別の終端トランスデューサが設けられており、該結合トランスデューサおよび該終端トランスデューサは少なくとも部分的に交互に配置されている、請求項１から５までのいずれか１項記載のモジュール。
【請求項７】
前記直列トランスデューサ（Ｗ２１，Ｗ２２）の間にはそれぞれ反射器（Ｒ２３）が配置されている、請求項１から６までのいずれか１項記載のモジュール。
【請求項８】
前記第２のポートは対称的であり、且つ第１の端子（Ｐ２１）および第２の端子（Ｐ２２）を有する、請求項１から７までのいずれか１項記載のモジュール。
【請求項９】
前記第１の直列トランスデューサ（Ｗ２１）と前記第２の直列トランスデューサ（Ｗ２２）との間には反射器（Ｒ２３）が配置されており、前記第１のポートの前記信号供給端子（Ｐ１）は該反射器（Ｒ２３）に接続されている、請求項７記載のモジュール。
【請求項１０】
前記第２のポートも非対称的である、請求項１から７または９のいずれか１項記載のモジュール。
【請求項１１】
前記第１の部分フィルタは前記第１のポートと接続されており、
前記第２のポートは前記ＤＭＳトラックの前記終端トランスデューサ（ＭＷ３）に接続されており、
前記ＤＭＳトラックの前記第１の結合トランスデューサ（ＡＷ３１）および／または前記第２の結合トランスデューサ（ＡＷ３２）は、前記直列トランスデューサ（Ｗ２１，Ｗ２２）のうちの少なくとも１つと直列に接続されている、請求項１から１０までのいずれか１項記載のモジュール。
【請求項１２】
前記第１の部分フィルタは前記第１のポートと接続されている別の音響的なトラック（Ｓ１）を有し、該別の音響的なトラック（Ｓ１）は、信号線路とアースとの間に接続されている並列トランスデューサ（Ｗ１）を有する、請求項１から１１までのいずれか１項記載のモジュール。
【請求項１３】
前記第１の部分フィルタには、前記第１のポートと接続されている複数の音響的なトラック（Ｓ１）に配置されており、相互に音響的に結合されている複数の並列トランスデューサ（Ｗ１）が設けられており、該並列トランスデューサ（Ｗ１）はそれぞれ信号線路とアースとの間に接続されている、請求項１から１２までのいずれか１項記載のモジュール。
【請求項１４】
前記ＤＭＳトラックの前記終端トランスデューサ（ＭＷ３）は、電気的に相互に接続されている少なくとも２つの部分トランスデューサを有し、該部分トランスデューサは前記第２のポートの端子の間において直列に接続されている、請求項１から１３までのいずれか１項記載のモジュール。
【請求項１５】
前記第１のポートの信号供給端子（Ｐ１）は前記直列トランスデューサ（Ｗ２１，Ｗ２２）のうちの少なくとも１つに接続されている、請求項１から１４までのいずれか１項記載のモジュール。
【請求項１６】
前記第１の部分フィルタは別の音響的なトラックを有し、該音響的なトラックは少なくとも１つの直列トランスデューサを有し、前記第１のポートと接続されており、前記信号線路に配置されている、請求項１から１５までのいずれか１項記載のモジュール。
【請求項１７】
前記第２の部分フィルタは前記第１のポート側に配置されており、
前記第２のポートの前記第１の端子（Ｐ２１）は前記第１の直列トランスデューサ（Ｗ２１）に接続されており、前記第２のポートの前記第２の端子（Ｐ２２）は前記第２の直列トランスデューサ（Ｗ２２）に接続されており、
前記ＤＭＳトラックの前記終端トランスデューサ（ＭＷ３）は前記第２のポート（Ｐ１）に接続されている信号線路に配置されており、
前記ＤＭＳトラックの前記第１の結合トランスデューサ（ＡＷ３１）は前記第１の直列トランスデューサ（Ｗ２１）に直列に接続されており、
前記ＤＭＳトラックの前記第２の結合トランスデューサ（ＡＷ３２）は前記第２の直列トランスデューサ（Ｗ２２）と直列に接続されている、請求項１から８までのいずれか１項記載のモジュール。
【請求項１８】
前記ＤＭＳトラックは少なくとも２つの終端トランスデューサ（ＭＷ３１，ＭＷ３２）を有し、前記ＤＭＳトラックの前記第１の結合トランスデューサ（ＡＷ３１）および前記ＤＭＳトラックの前記第２の結合トランスデューサ（ＡＷ３２）は前記終端トランスデューサ（ＭＷ３１，ＭＷ３２）の間に配置されており、
前記第１の結合トランスデューサ（ＡＷ３１）および前記第２の結合トランスデューサ（ＡＷ３２）は並んで配置されており、且つ相互に直列に接続されている、請求項１７記載のモジュール。
【発明の詳細な説明】
【技術分野】
【０００１】
本発明は、音響表面波でもって動作するモジュール、殊に共振器が埋め込まれているネットワーク構造を有するフィルタに関する。
【０００２】
移動通信の端末装置のフロントエンド、例えば移動電話においては、ＨＦ領域におけるバンドパスフィルタとして今日では主にＳＡＷフィルタ（ＳＡＷ＝音響表面波）が使用されている。これらは実質的にリアクタンスフィルタまたはＤＭＳ（ＤＭＳ＝ダブルモードＳＡＷ）フィルタとして構成されている。
【０００３】
移動通信の端末装置に使用できるフィルタは、有効信号の挿入減衰が可能な限り僅かであるべきとされる。現在の変調方法の使用は送信経路ないし受信経路において用いられているフィルタに、従来のＳＡＷフィルタに比べて高い選択性ないし逆の帯域の抑制を要求する。
【０００４】
例えばリアクタンス素子、殊にＳＡＷ技術でもって実施されている１ポート共振器を備えたＤＭＳフィルタの相互接続が公知であり、このような相互接続は挿入減衰が僅かであるという点で優れている。つまり、例えばＤＥ１９８  １８  ０３８  Ａから、直列または並列に相互接続されている２つのＤＭＳフィルタが入力側または出力側においてリアクタンス素子と直列に相互接続されているＤＭＳフィルタが公知である。
【０００５】
刊行物ＤＥ１００  ０７  １７８  Ａ１から、音響的に結合されている２つの直列トランスデューサを備えた２ポート共振器が接続されているＤＭＳフィルタが公知であり、この刊行物においては直列トランスデューサがそれぞれＤＭＳフィルタのトランスデューサのうちの１つと直列に接続されている。ここでは回路の複数の直列分岐が、対称的に構成されている入力側と対称的に構成されている出力側との間において相互接続されている。
【０００６】
本発明の課題は、対称的なポートと非対称的なポートと僅かな挿入減衰とを有する、音響表面波でもって動作するモジュールを提供することである。
【０００７】
この課題は、本発明によれば請求項１記載のモジュールでもって解決される。本発明の有利な実施形態は従属請求項から得られる。
【０００８】
本発明は、圧電性の基板およびこの基板上に配置されているモジュール構造を有する、音響表面波でもって動作するモジュールを提供する。モジュールは非対称な第１の電気的なポート（有利には入力ポート）と第２の電気的なポート（有利には出力ポート）を備えた信号線路を有する。本発明によるモジュールは第１の部分フィルタおよび第２の部分フィルタを包含し、これらの部分フィルタは第１の電気的なポートと第２の電気的なポートとの間において相前後して相互に接続されている。第２のポートは有利には対称的であり（バランスが取れており）、すなわち２つの信号供給端子でもって構成されている。第２の電気的なポートが非対称的（バランスがとれていない、シングルエンド）に構成されていることも可能である。
【０００９】
第１の部分フィルタは、音響的なトラックに配置されており、かつ信号線路において相前後してまたは相互に並列に接続されている、すなわち信号線路においてそれぞれ直列に接続されている、第１の直列トランスデューサおよび第２の直列トランスデューサを包含し、この際第１の直列トランスデューサおよび第２の直列トランスデューサは音響的に結合されている。
【００１０】
第２の部分フィルタはＤＭＳトラックを包含し、このＤＭＳトラックは第１の結合トランスデューサおよび信号線路における終端トランスデューサを有する。本発明の有利な変形形態においては、ＤＭＳトラックが付加的に第２の結合トランスデューサを有する。
【００１１】
本発明の有利な変形形態においては、各トラックは両側が反射器によって挟まれている。
【００１２】
ＤＭＳトラックの第１の結合トランスデューサおよび／または第２の結合トランスデューサは本発明の有利な実施形態においては、（それぞれが）直列トランスデューサのうちの少なくとも１つと直列に接続されている。第２の電気的なポートは有利にはＤＭＳトラックの終端トランスデューサに接続されている。
【００１３】
本発明の有利な変形形態においては、第１、第２および第３の音響的なトラックが設けられている。第１の音響的なトラックは少なくとも１つのトランスデューサ（並列トランスデューサ）または相互に音響的に結合されている複数の並列トランスデューサを包含する。第２の音響的なトラックは第１の直列トランスデューサおよび第２の直列トランスデューサを有し、これらの直列トランスデューサは相互に音響的に結合されている。第３の音響的なトラックはＤＭＳトラックとして構成されており、また殊に少なくとも２つの結合トランスデューサと、これらの結合トランスデューサの間に配置されている少なくとも１つの終端トランスデューサとを有する。この場合、直列トランスデューサないし１つまたは複数の並列トランスデューサがラダー型装置において接続されている。このラダー型装置においては直列トランスデューサが（それぞれ）ラダー型装置の直列共振器を形成し、１つまたは複数の並列トランスデューサがそれぞれラダー型装置の並列共振器を形成する、すなわち信号線路に並列に基準電位（有利にはアース）に接続されている。第１の電気的なポート（入力ポート）の信号供給端子は第２の音響的なトラックに接続されている。第２の音響的なポート（出力ポート）はＤＭＳトラックの終端トランスデューサに接続されている。本発明の全ての実施形態においては、２つの電気的なポートの入力側および出力側へのそれぞれの対応付けを交換することも可能である。
【００１４】
本発明の別の実施形態においては、ＤＭＳトラックの終端トランスデューサは相互に電気的に接続されている少なくとも２つの部分トランスデューサを有し、これらの部分トランスデューサは第２の電気的なポートの端子の間において直列に接続されている。
【００１５】
有利な実施形態においては、ＤＭＳトラックはさらなる結合トランスデューサおよび／または終端トランスデューサを有し、結合トランスデューサおよび終端トランスデューサは相互に音響的に結合されており、且つ少なくとも部分的に交互に配置されている。
【００１６】
本発明によるモジュールは、２つのＤＭＳトラックを備えた慣例のＤＭＳフィルタに比べて挿入減衰が少ないという点で優れている。本発明は、１つのＤＭＳトラックと接続されている殊に面積が節約されたラダー型構造を提供し、伝達関数の殊に急峻な傾斜、したがって高い選択性を有する。さらには、同等の寸法設計のトランスデューサを備えた公知の電気音響的なモジュールの場合よりも高いないし十分なミラー周波数抑制が達成される。
【００１７】
以下では本発明を実施例および付属の図面に基づき詳細に説明する。ここで図面は単に説明のために使用されるものであり、また縮尺通りに示されていない。同一の素子または同様に作用する素子は同一の参照番号でもって表されている。
【００１８】
図１は概略的に表された本発明によるモジュールを示し（図１ａ）、また相応の等価回路図として表された本発明によるモジュールを示し（図１ｂ）、
図１ｃから図７は出力側にＤＭＳトラックが配置されている本発明によるモジュールの有利な実施形態を示し、
図８から図１１は入力側にＤＭＳトラックが配置されている本発明によるモジュールの有利な実施形態を示す。
【００１９】
図１は本発明によるモジュールの原理的な構造を示す。モジュールは第１の音響的なトラックＳ１、第２の音響的なトラックＳ２およびＤＭＳトラックＳ３を有し、これらのトラックは相互に電気的に接続されている。第１の音響的なトラックおよび第２の音響的なトラックは第１の部分フィルタを形成し、この第３の音響的なトラックは第２の部分フィルタを形成する。
【００２０】
第１のトラックＳ１は並列トランスデューサＷ１を有し、この並列トランスデューサＷ１は反射器Ｒ１１とＲ１２との間に配置されている。第２の音響的なトラックＳ２は第１の直列トランスデューサＷ２１と、この第１の直列トランスデューサＷ２１と音響的に結合されている第２の直列トランスデューサＷ２２とを包含し、これらのトランスデューサはトラックのそれぞれの端部である両側が反射器Ｒ２１およびＲ２２によって挟まれている。第１の直列トランスデューサＷ２１は入力ポートの信号供給端子Ｐ１に接続されている。直列トランスデューサＷ２１およびＷ２２はそれぞれ、ラダー型装置の第１の基本素子および第２の基本素子の直列分岐に配置されている、ないし並列トランスデューサＷ１はラダー型装置の並列分岐に接続されている。トランスデューサＷ２１、Ｗ２２およびＷ１はこの実施例において、それ自体公知のラダー型装置のＴ素子を形成する。そのようにして形成されたラダー型構造はさらにＤＭＳトラックＳ３の結合トランスデューサＡＷ３１、ＡＷ３２と電気的に接続されている。ＤＭＳトラックの結合トランスデューサＡＷ３１、ＡＷ３２は終端トランスデューサＭＷ３と音響的に結合されている。終端トランスデューサＭＷ３は出力ポートの端子Ｐ２１、Ｐ２２と接続されている。出力ポートはここでは対称的で電気的なポートとして実施されている。ＤＭＳトラックは両側が反射器Ｒ３１、Ｒ３２によって挟まれている。
【００２１】
第１の音響的なトラックＳ１に、（それぞれが）ラダー型装置の並列分岐に配置されており、有利には音響的に相互に結合されている別の並列トランスデューサＷ１を設けることが可能である。また第２の音響的なトラックＳ２が、相互に音響的に結合されており、且つ（それぞれが）信号線路の直列分岐、例えばそれぞれがラダー型装置の異なる基本素子の直列分岐に配置されている２つ以上の直列トランスデューサを有することも可能である。前述の直列トランスデューサが（それぞれ）ＤＭＳトラックの結合トランスデューサＡＷ３１、ＡＷ３２と電気的に直列に接続されていることも可能である。
【００２２】
さらに本発明によれば、別のＤＭＳトラックをＤＭＳトラックＳ３とカスケード接続することが可能である。また入力側には、音響的に相互に結合されていて両側が反射器によって挟まれている直列トランスデューサを備えた、信号線路において直列に接続されている別の音響的なトラックを配置することも可能である。
【００２３】
図１ｂには図１ａによる構成素子に対応する等価回路図が示されている。
【００２４】
図１ｃにおいては直列トランスデューサＷ２１ないしＷ２２が、入力ポートとＤＭＳトラックの結合トランスデューサＡＷ３１、ＡＷ３２との間の直列回路を形成する。第１の直列トランスデューサＷ２１は入力ポートに接続されている。第１の直列トランスデューサＷ２１と音響的に結合されている第２の直列共振器は一方では第１の直列トランスデューサＷ２１に接続されており、他方ではＤＭＳトラックの結合トランスデューサＡＷ３１、ＡＷ３２に接続されている。
【００２５】
図２は本発明の別な有利な実施例を示す。ここでは入力ポートが並列トランスデューサＷ１に接続されている。ここで並列トランスデューサＷ１に並列に、一方では第２の直列トランスデューサＷ２２とＤＭＳトラックの結合トランスデューサＡＷ３１の直列回路が接続されており、他方では第１の直列トランスデューサＷ２１とＤＭＳトラックの第２の結合トランスデューサＡＷ３２の直列回路が接続されている。
【００２６】
図３には本発明によるモジュールの別の変形形態が示されている。第２の音響的なトラックは第１の直列トランスデューサＷ２１、第２の直列トランスデューサＷ２２および第３の直列トランスデューサＷ２３を有する。第２の音響的なトラックの第１の直列トランスデューサＷ２１はＤＭＳトラックの第１の結合トランスデューサＡＷ３１と電気的に接続されている。第２の音響的なトラックの第３の直列トランスデューサＷ２３はＤＭＳトラックの結合トランスデューサＡＷ３２と電気的に接続されている。入力ポートの信号供給端子Ｐ１は第２の音響的なトラックの第２の直列トランスデューサＷ２２に接続されている。第２の直列トランスデューサＷ２２に直列に、第１の直列トランスデューサＷ２１および第３の直列トランスデューサＷ２３が接続されており、この際後者の２つの直列トランスデューサは相互に並列に接続されている。
【００２７】
図４は、信号供給端子Ｐ２を備えた非対称な電気的なポートとして実施されている出力ポートを有する、本発明によるモジュールの変形形態を示す。
【００２８】
入力ポートの信号供給端子Ｐ１を図５に示されているように、第２の音響的なトラックの直列トランスデューサＷ２１とＷ２３との間に配置されている反射器Ｒ２３に接続することができる。反射器は殊に、この反射器を挟んでいる直列トランスデューサの間の音響的な結合の調節を可能にする。
【００２９】
図６に示されている本発明によるモジュールにおいては、終端トランスデューサＭＷ３の代わりに部分トランスデューサＭＷ３１ないしＭＷ３２が使用されている。部分トランスデューサＭＷ３１およびＭＷ３２は出力ポートの端子Ｐ２１とＰ２２との間において、信号が端子Ｐ２１ないしＰ２２において電気的に逆位相であるように直列に接続されている。部分トランスデューサＭＷ３１およびＭＷ３２の直列回路は分割されたトランスデューサに相当し、この変形形態においてはトランスデューサが分割されていない場合に比べて、電極指の数が同じであればおよそファクタ４高まったトランスデューサインピーダンスを達成することに成功する。
【００３０】
変形形態においては、第１（または第２）の音響的なトラックにおいて並んで設けられているトランスデューサの間に反射器が配置されている。音響的に結合されているトランスデューサの間に配置されている反射器によって、例えば音響的な結合を変化させることが達成される。図７では、第２の音響的なトラックにおいて反射器Ｒ２４が直列トランスデューサＷ２１とＷ２２との間に配置されている、ないしは反射器Ｒ２５が直列トランスデューサＷ２２とＷ２３との間に配置されている。反射器はそれぞれを相互に接続する金属ストリップを有することができる。金属ストリップがそれぞれの反射器を相互に接続していないことも可能である。
【００３１】
図８においては、第２の部分フィルタ（ＤＭＳトラック）が第１のポート（入力ポート）側に配置されている。ＤＭＳトラックの終端トランスデューサＭＷ３は信号線路と直列に接続されており、また結合トランスデューサＡＷ３１、ＡＷ３２と音響的に結合されている。ＤＭＳトラックの終端トランスデューサＭＷ３と、トランスデューサＷ１および反射器Ｒ１１、Ｒ１２を包含する直列共振器とは第１のポートの信号供給端子Ｐ１と基準電位（アース）との間に直列に接続されている。第１の結合トランスデューサＡＷ３１は第１の信号供給端子Ｐ２１と基準電位（アース）との間において第１の直列トランスデューサＷ２１と直列に接続されており、第２の結合トランスデューサＡＷ３２は第２の信号供給端子Ｐ２２と基準電位（アース）との間において第２の直列トランスデューサＷ２２と直列に接続されている。第２のポートの第１の端子Ｐ２１は第１の直列トランスデューサＷ２１に接続されており、また第２のポートの第２の端子Ｐ２２は第２の直列トランスデューサＷ２２に接続されている。
【００３２】
図９に示されている本発明によるモジュールの実施形態においては、第１の直列トランスデューサＷ２１と第２の直列トランスデューサＷ２２との間に、これら２つのトランスデューサ間の音響的な結合を制御するための反射器Ｒ２３が配置されている。
【００３３】
図１０に示されている概略的な別の実施例においては、ＤＭＳトラックが入力側に配置されている２つの終端トランスデューサＭＷ３１およびＭＷ３２を有する。終端トランスデューサＭＷ３１およびＭＷ３２は信号線路の直列分岐に配置されており、且つ相互に並列に接続されている。結合トランスデューサＡＷ３１およびＡＷ３２はここでは、終端トランスデューサＭＷ３１、ＭＷ３２の間に並んで配置されている。結合トランスデューサＡＷ３１、ＡＷ３２は例えば、電気的に逆位相の信号を供給するように相互に接続されている、トランスデューサの部分トランスデューサとして構成されている。トランスデューサＷ２１、ＡＷ３１、ＡＷ３２およびＷ２２は第２のポートの第１の端子Ｐ２１と第２の端子Ｐ２２との間に相前後して接続されており、第１の直列トランスデューサＷ２１は第２のポートの第１の端子Ｐ２１に接続されており、第２の直列トランスデューサＷ２２は第２のポートの第２の端子Ｐ２２に接続されている。
【００３４】
図１１は本発明の別の有利な実施例を示す。第１の電気的なポートの信号供給端子Ｐ１は終端トランスデューサＭＷ３１、ＭＷ３２に接続されている。終端トランスデューサＭＷ３１、ＭＷ３２は他方では基準電位に接続されている。結合トランスデューサＡＷ３１、ＡＷ３２と直列トランスデューサＷ２１、Ｗ２２との相互接続は図１０の説明に対応する。第２の電気的なポートは、両側が反射器Ｒ４１、Ｒ４２によって挟まれている第１のトランスデューサＷ４１および第２のトランスデューサＷ４２を備えた別の音響的なトラックに接続されている。第２のポートの第１の端子Ｐ２１は第１のトランスデューサＷ４１に接続されており、第２のポートの第２の端子Ｐ２２は第２のトランスデューサＷ４２に接続されている。第１のトランスデューサＷ４１および第２のトランスデューサＷ４２は相互に音響的に結合されており、且つ直列に接続されている。
【００３５】
一方の側（有利には入力側）に非対称的な電気的なポートを備え、それとは反対の側（有利には出力側）に対称的な電気的なポートを備える本発明によるモジュールは、フィルタの機能に加えてバランの機能を充足しているという利点を有する。この解決手段は移動無線装置においては非常に有利である。何故ならば本発明によるモジュールを用いることにより、（大部分は離散的なモジュールとして実施されている）バランを省略することによって、ないしバラン機能を端末装置のレベルにおけるフロントエンドフィルタに集積することによって面積を節約することができ、また損失を僅かなレベルに保つことが達成される。
【００３６】
図面は本発明をより良く説明できるようにするために、本発明を概略的に表しているに過ぎない。したがって図面に表されているものは縮尺通りではなく、また外観の幾何学的な構成も単に概略的に表しているに過ぎない。本発明は図面に示した詳細に制限されているものではなく、前述の変形形態ならびに請求項の範囲内で考えられる別の実施形態も包含するものである。
【図面の簡単な説明】
【００３７】
【図１ａ】概略的に表された本発明によるモジュール。
【図１ｂ】相応の代替回路図として表された本発明によるモジュール。
【図１ｃ】出力側にＤＭＳトラックが配置されている本発明によるモジュールの有利な実施形態。
【図２】出力側にＤＭＳトラックが配置されている本発明によるモジュールの有利な実施形態。
【図３】出力側にＤＭＳトラックが配置されている本発明によるモジュールの有利な実施形態。
【図４】出力側にＤＭＳトラックが配置されている本発明によるモジュールの有利な実施形態。
【図５】出力側にＤＭＳトラックが配置されている本発明によるモジュールの有利な実施形態。
【図６】出力側にＤＭＳトラックが配置されている本発明によるモジュールの有利な実施形態。
【図７】出力側にＤＭＳトラックが配置されている本発明によるモジュールの有利な実施形態。
【図８】入力側にＤＭＳトラックが配置されている本発明によるモジュールの有利な実施形態。
【図９】入力側にＤＭＳトラックが配置されている本発明によるモジュールの有利な実施形態。
【図１０】入力側にＤＭＳトラックが配置されている本発明によるモジュールの有利な実施形態。
【図１１】入力側にＤＭＳトラックが配置されている本発明によるモジュールの有利な実施形態。
【図１ａ】
0004393387.tif 000002
【図１ｂ】
0004393387.tif 000003
【図１ｃ】
0004393387.tif 000004
【図２】
0004393387.tif 000005
【図３】
0004393387.tif 000006
【図４】
0004393387.tif 000007
【図５】
0004393387.tif 000008
【図６】
0004393387.tif 000009
【図７】
0004393387.tif 000010
【図８】
0004393387.tif 000011
【図９】
0004393387.tif 000012
【図１０】
0004393387.tif 000013
【図１１】
0004393387.tif 000014